(57)【要約】      （修正有）【課題】納骨を容易にし、ケガの防止および石の破損防止効果を有する、墓石内部空間入り口の閉塞石スライド移動構造を提供する。【解決手段】中台２の前面には納骨のための四角形の入り口を有し、内部空間へとつながり、この空間内側面は左右平行となっており、この両サイド内側面には、鋼球を介してインナーレールとアウターレールを有する金属製スライドレール１０が取り付けられる。このスライドレールは、固定側スライドレール１１とこの固定側に沿って所定範囲内にて平行スライド移動が可能な可動側スライドレール１２とが一対にまとまった構成で、本案では中台の内部空間側面に固定側スライドレールが、切り出し水鉢に可動側スライドレールが固定部材１３を介して取り付けられる。【選択図】図３
0003207742.tif 000002
【実用新案登録請求の範囲】
【請求項１】
墓石に設けられた納骨構造における納骨入り口空間を閉塞する石材の移動において、静止固定側石材と該閉塞石材をスライドレールにて関連づけることにより、閉塞石材の移動を容易ならしめたことを特徴とする墓石におけるスライド移動型納骨構造。
【請求項２】
閉塞石材を、敷石上に立設固定される固定石と、スライドレールを取り付けたガイド石と、該スライドレールに関連づけられて水平移動可能なる可動石とから構成し、この可動石と固定石との固定手段を設けたものとした請求項１記載の墓石におけるスライド移動型納骨構造。
【請求項３】
可動石と固定石との固定手段を螺合としてなる請求項２記載の墓石におけるスライド移動型納骨構造。
【考案の詳細な説明】
【技術分野】
【０００１】  この考案は、墓石内納骨を容易に行うためのスライド移動型の納骨構造に関する。
【背景技術】
【０００２】  従来より、墓石には納骨のための空間が設けられ、この空間を塞ぐための石材を用いているが、この石材を容易に移動させるための手段は見当たらない。
【考案の概要】
【考案が解決しようとする課題】
【０００３】  従来の墓石における納骨作業は、重量物である閉塞している石材を移動しなければならず、石材の種類やサイズおよび形状によっては成人男性でも困難な場合がある。
また、作業時における石材の損傷やケガ等も懸念され、かつ移動した石材を置く場所も選ばねばならない。しかし、このような問題に対処するための有力な手段が見当たらないのが現状である。
本案は以上に鑑み、石材のスライド移動方式を採用することにより、だれでも安全かつ容易にこの石材の移動を行うことのできる、新規かつ有用なる手段を提供することを目的として発案されたものである。
【課題を解決するための手段】
【０００４】  課題を解決する手段として本案は以下の構成とした。
すなわち、本案の一つは、墓石に設けられた納骨構造における納骨入り口空間を閉塞する石材の移動において、静止固定側石材と該閉塞石材をスライドレールにて関連づけることにより、閉塞石材の移動を容易ならしめたことを特徴とする墓石におけるスライド移動型納骨構造である。また、本案の他の一つは、閉塞石材を、敷石上に立設固定される固定石と、スライドレールを取り付けたガイド石と、該スライドレールに関連づけられて水平移動可能なる可動石とから構成し、この可動石と固定石との固定手段を設けたものとした墓石におけるスライド移動型納骨構造である。さらに本案の他の一つは、可動石と固定石との固定手段を螺合としてなる墓石におけるスライド移動型納骨構造である。
【考案の効果】
【０００５】  本案によれば、納骨入り口を閉塞する石材のスライドレールによる可動手段を設けたので、従来のような人力による重量石材の移動に比べ、はるかに小労力での閉塞石材移動が可能となって、より利便性のある墓石における納骨構造を得ることができる。
また、閉塞石材を固定部と可動部とから構成し、この固定部への可動部の選択的固定手段を設けることにより、納骨状態の保全を行うことのできる有用なる構造を得ることができる。
【図面の簡単な説明】
【０００６】
【図１】  本考案の第１実施形態の全体斜視図（閉塞時）
【図２】  本考案の第１実施形態の全体斜視図（非閉塞時）
【図３】  本考案の第１実施形態の要部構造説明図
【図４】  本考案の第１実施形態の要部構造説明図
【図５】  本考案の第２実施形態の要部斜視図（閉塞時）
【図６】  本考案の第２実施形態の要部斜視図（非閉塞時）
【図７】  本考案の第２実施形態の要部構造説明図（一部断面左側面視）
【図８】  本考案の第２実施形態の要部構造説明図（正面視）
【考案を実施するための最良の形態】
【０００７】  以下、本考案の実施形態について説明する。
図１〜図４は、本案の第１実施形態を示すものである。
図において、１は芝台、２は中台、３は上台、４は竿石であり、上下に重なり固定されて位置している。敷石と中台には連続する内部空間が形成されて、この空間を利用して墓石内への納骨が成される。５は切り出し水鉢で、本例では中央に位置する所定サイズの直方体形状の石材の両側に、花立て６を設け、側方に水抜き孔７を穿設した構成としており、これが閉塞石材として作用する。
従来方式は中台に設けた空間の入り口をこの切り出し水鉢の載置にて閉塞しており、納骨のためには、人力にてこの切り出し水鉢を持ち上げて移動し、作業後は再び切り出し水鉢を元の位置に戻して載置する作業が必須となっていた。【０００８】  これに対し本案は、この切り出し水鉢のスライド移動方式を用いており、以下に示す構成である。
前記の中台の前面には納骨のための四角形の入り口を有し、内部空間８へとつながり、この空間内側面は左右平行となっており、この両サイド内側面には、鋼球を介してインナーレールとアウターレールを有する金属製スライドレール１０が取り付けられる。
このスライドレールは、固定側スライドレール１１とこの固定側に沿って所定範囲内にて平行スライド移動が可能な可動側スライドレール１２とが一対にまとまった構成で、本案では中台の内部空間側面に固定側スライドレールが、切り出し水鉢に可動側スライドレールが固定部材１３を介して取り付けられる。
この固定部材は図３にて示すように、金属平板内方にコ字形板を固着もしくは折曲にて設け、その前方に水平な張り出し平板１４が一体に設けられ、この固定部材は可動側スライドレールに取り付けられ、該張り出し平板上に前記の切り出し水鉢が載置固定されて位置する。【０００９】  以上の構成から、図１に示す切り出し水鉢の両外側をはさんで前方へ押圧することにて、図２にて示すように、この切り出し水鉢はスライドレールの機能によって容易に前方へ移動させることができる。この移動にて芝台の前面入り口は露出して、ここから納骨作業を行うことができる。
作業後は既述と逆の手順にて、初期状態へと戻すことができる。なお、切り出し水鉢の下面と敷石上面とには若干の空隙を設けており、該水鉢移動時における不要な摩擦を回避している。【００１０】  図５〜図８は、本案の第２実施形態を示すものである。
図において、２０は敷石、２１は上台、２２は竿石である。敷石と上台には内部空間が形成され、可動石のスライド移動にて、図６のごとくこの空間が露出し、ここから納骨作業を行うことができる。以下、要部構造について説明する。
可動石２３は、直方体形状の石材であって、上台に設けた内部空間４０に出入り可能なサイズと形状である。この可動石の両側近傍下部には、四角状の切除部２４が形成される。
２５は四角柱状のガイド石で、そのサイズは上記切除部内に納まるよう設けられ、このガイド石は左右一対が敷石上に固定されて位置する。
２６は固定石で、図５のごとく敷石上面に固着される平板状石材である。
以上の可動石とガイド石とは既述構成のスライドレール２７により関係づけられる。
すなわち、図８のようにガイド石側面には固定側スライドレール２８が、可動石内側面には可動側スライドレール２９が各々取り付けられる。
この取付に際しては、図のごとくガイド石には金属板による固定側ガイドレール取付板３０が、可動石には可動側ガイドレール取付板３１が各々取り付けられ、これらの板に各ガイドレールが固定されて位置する。【００１１】  次に、可動石の位置固定手段について説明する。
図において、３２は可動石前面中央に貫通して設けられる雌ネジ、３３は該雌ネジに螺合して前方突出にて位置するボルト、３４は固定石中央に穿設される挿通孔、３５はナット３６を内部に設けたつまみである。
以上の構成から、可動石を前方移動して固定石に当接させたとき、ボルト端は固定石の挿通孔よりやや突出し、この突出した雄ネジ部分につまみのナット部分が螺合して、可動石は固定石に固定される。
本例における納骨作業は、まず、つまみを回して可動石の固定を解除する。
次に、可動石をつかんで後方移動への力を与えると、既述のスライドレール利用機構にてこの可動石は芝台空間内へと容易に移動し、可動石は非突出状態となり、敷石に設けた空間が露出するので、ここから納骨することができる。
作業後は既述と逆の手順にて初期状態へと戻すことができる。なお、可動石の上台への収納状態においても、前述のボルトの雄ネジ部分が突出しているので、これをつまんで前方へと移動させることができる。なお、可動石の最後方位置は、スライドレールのストッパーにて決定される。【００１２】  以上、本案について記したが、本案は墓石納骨入り口を閉塞する石材のスライド移動構造を設けたところにその特徴を有するものである。
従来は既述のように、重量物である閉塞石材を持ち上げて移動する手段のため、種々の難点を有しているものであったが、本案ではスライドレールによる水平移動となるために、従来法に比べて格段の労力低減と安全性を得ることができる。
また、従来法では閉塞のための石材は、単なる載置方式のために、地震等による石材の倒れの恐れがあったが、本案ではこの石材はスライドレールを介して墓石に関連づけられているので、このような問題はない。【００１３】  実施形態の第２においては、可動石を螺合にて固定石へ固定する方式を用いており、人為的作業によってのみ可動石の可動が可能となるので、墓石内部空間の保全ができる。
なお、この実施形態において、可動石の固定は螺合方式を用いたが、他の固定手段、例えば押圧嵌合やフック金具など他方式を用いてもよい。
本案は、墓石構造に合わせて、適宜にサイズその他を変更して適合させることができる。
以上のごとく、本案によって利便性に富む墓石納骨構造を得ることができる。
【符号の説明】
【００１４】  １    芝台
２    中台
３    上台
４    竿石
５    切り出し水鉢
６    花立て
７    水抜き孔
８    内部空間
１０  スライドレール
１１  固定側スライドレール
１２  可動側スライドレール
１３  固定部材
１４  張り出し平板
２０  敷石
２１  上台
２２  竿石
２３  可動石
２４  切除部
２５  ガイド石
２６  固定石
２７  スライドレール
２８  固定側スライドレール
２９  可動側スライドレール
３０  固定側ガイドレール取付板
３１  可動側スライドレール取付板
３２  雌ネジ
３３  ボルト
３４  挿通孔
３５  つまみ
３６  ナット
４０  内部空間
【図１】
0003207742.tif 000003
【図２】
0003207742.tif 000004
【図３】
0003207742.tif 000005
【図４】
0003207742.tif 000006
【図５】
0003207742.tif 000007
【図６】
0003207742.tif 000008
【図７】
0003207742.tif 000009
【図８】
0003207742.tif 000010